(57)【要約】【課題】  筐体を閉じた状態でユーザが着信音になかなか気づかないといった問題を回避する。【解決手段】  着信があり（Ｓ１ステップ）、制御回路が筐体が開いた状態であると判定すると（Ｓ２ステップのＹ）、スピーカから着信音の音量を徐々に大きくして鳴動させ（Ｓ３ステップ）、一方、筐体が閉じた状態であると判定すると（Ｓ２ステップのＮ）、予め設定した音量でスピーカから着信音を鳴動させる（Ｓ４ステップ）。【選択図】  図３
2008154179.tif 000002
【特許請求の範囲】
【請求項１】
第１の筐体と第２の筐体とがヒンジ部を介して接続された折畳式の携帯電話装置であり、
筐体を閉じた状態と開いた状態とで、着信時に鳴動させる着信音の音量を異ならせることを特徴とする折畳式携帯電話装置。
【請求項２】
第１の筐体と第２の筐体とがヒンジ部を介して接続された折畳式の携帯電話装置であり、
筐体を閉じた状態では、予め設定した第１の音量で着信音を鳴動させ、筐体を開いた状態では、予め設定した第２の音量を着信音鳴動開始時の音量として着信音の音量を徐々に大きくして鳴動させることを特徴とする折畳式携帯電話装置。
【請求項３】
第１の筐体と第２の筐体とがヒンジ部を介して接続された折畳式の携帯電話装置であり、
筐体を閉じた状態では、予め設定した第１の音量で着信音を鳴動させ、筐体を開いた状態では、前記第１の音量よりも小さい音量である予め設定した第２の音量を、着信音鳴動開始時の音量として、着信音の音量を徐々に大きくして鳴動させることを特徴とする折畳式携帯電話装置。
【請求項４】
第１の筐体と第２の筐体とがヒンジ部を介して接続された折畳式の携帯電話装置であり、
前記第１の筐体には、通話用のスピーカである第１スピーカと着信音鳴動用の第２スピーカとが近接して配置され、
筐体の開閉を検出する筐体開閉検出手段と、着信を検出する着信検出手段と、第１の着信音量と、当該第１の着信音量よりも小さい音量である第２の着信音量を設定する音量設定手段と、
前記着信検出手段が着信を検出した際に、前記筐体開閉検出手段が筐体が開いた状態であることを検出すると、前記音量設定手段で設定された第２の着信音量を基準として徐々に着信音量を大きくして前記第２スピーカから着信音を鳴動させ、一方、前記着信検出手段が着信を検出した際に、前記筐体開閉検出手段が筐体が閉じた状態であることを検出すると、前記音量設定手段で設定された第１の着信音量で前記第２スピーカから着信音を鳴動させるように制御する制御手段と、を有することを特徴とする折畳式携帯電話装置。
【請求項５】
第１の筐体と第２の筐体とがヒンジ部を介して接続された折畳式の携帯電話装置であり、
前記第１の筐体には、通話用のスピーカであり着信音鳴動用のスピーカであるスピーカが配置され、
筐体の開閉を検出する筐体開閉検出手段と、着信を検出する着信検出手段と、第１の着信音量と、当該第１の着信音量よりも小さい音量である第２の着信音量を設定する音量設定手段と、
前記着信検出手段が着信を検出した際に、前記筐体開閉検出手段が筐体が開いた状態であることを検出すると、前記音量設定手段で設定された第２の着信音量を基準として徐々に着信音量を大きくして前記スピーカから着信音を鳴動させ、一方、前記着信検出手段が着信を検出した際に、前記筐体開閉検出手段が筐体が閉じた状態であることを検出すると、前記音量設定手段で設定された第１の着信音量で前記スピーカから着信音を鳴動させるように制御する制御手段と、を有することを特徴とする折畳式携帯電話装置。
【発明の詳細な説明】
【技術分野】
【０００１】
本発明は折畳式携帯電話装置に関する。
【背景技術】
【０００２】
特許文献１には、音楽を再生中に着信があると着信音の音量を設定された音量よりも低い音量から徐々に上げる技術が記載されている。
【０００３】
この技術を例えば折畳式携帯電話装置に搭載させた場合、特に通話時に使用するスピーカと着信音を鳴動する為のスピーカとが近接した構造である場合や、通話時に使用するスピーカと着信音を鳴動する為のスピーカとを兼用させた構造である場合には、年齢の小さい子供が筐体を開き通話のまねをしている際に着信があると、着信音の音量が徐々に上がる為、大音量の着信音が鳴動されるために子供の耳の鼓膜が損傷するといった問題を回避することができる。
【特許文献１】特願２００６−１３５８４１号
【発明の開示】
【発明が解決しようとする課題】
【０００４】
しかしながら、このような携帯電話装置において着信がある度に着信音の音量が徐々に大きくなるようであれば、ユーザが直ちに着信に気づくことができない。例えば折畳式携帯電話装置を閉じている状態においても、着信があると着信音の音量を徐々に大きくするような構成であれば、ユーザが着信音になかなか気づくことができず、非常に使い勝手が悪い。
【課題を解決するための手段】
【０００５】
本願発明は、このような課題を解決する為のものであり、請求項１記載の折畳式携帯電話装置は、第１の筐体と第２の筐体とがヒンジ部を介して接続された折畳式の携帯電話装置であり、筐体を閉じた状態と開いた状態とで、着信時に鳴動させる着信音の音量を異ならせることを特徴とする。
請求項２記載の折畳式携帯電話装置は、第１の筐体と第２の筐体とがヒンジ部を介して接続された折畳式の携帯電話装置であり、筐体を閉じた状態では、予め設定した第１の音量で着信音を鳴動させ、筐体を開いた状態では、予め設定した第２の音量を着信音鳴動開始時の音量として着信音の音量を徐々に大きくして鳴動させることを特徴とする。
請求項３記載の折畳式携帯電話装置は、第１の筐体と第２の筐体とがヒンジ部を介して接続された折畳式の携帯電話装置であり、筐体を閉じた状態では、予め設定した第１の音量で着信音を鳴動させ、筐体を開いた状態では、前記第１の音量よりも小さい音量である予め設定した第２の音量を、着信音鳴動開始時の音量として、着信音の音量を徐々に大きくして鳴動させることを特徴とする。
請求項４記載の折畳式携帯電話装置は、第１の筐体と第２の筐体とがヒンジ部を介して接続された折畳式の携帯電話装置であり、前記第１の筐体には、通話用のスピーカである第１スピーカと着信音鳴動用の第２スピーカとが近接して配置され、筐体の開閉を検出する筐体開閉検出手段と、着信を検出する着信検出手段と、第１の着信音量と、当該第１の着信音量よりも小さい音量である第２の着信音量を設定する音量設定手段と、前記着信検出手段が着信を検出した際に、前記筐体開閉検出手段が筐体が開いた状態であることを検出すると、前記音量設定手段で設定された第２の着信音量を基準として徐々に着信音量を大きくして前記第２スピーカから着信音を鳴動させ、一方、前記着信検出手段が着信を検出した際に、前記筐体開閉検出手段が筐体が閉じた状態であることを検出すると、前記音量設定手段で設定された第１の着信音量で前記第２スピーカから着信音を鳴動させるように制御する制御手段と、を有することを特徴とする。
請求項５記載の折畳式携帯電話装置は、第１の筐体と第２の筐体とがヒンジ部を介して接続された折畳式の携帯電話装置であり、前記第１の筐体には、通話用のスピーカであり着信音鳴動用のスピーカであるスピーカが配置され、筐体の開閉を検出する筐体開閉検出手段と、着信を検出する着信検出手段と、第１の着信音量と、当該第１の着信音量よりも小さい音量である第２の着信音量を設定する音量設定手段と、前記着信検出手段が着信を検出した際に、前記筐体開閉検出手段が筐体が開いた状態であることを検出すると、前記音量設定手段で設定された第２の着信音量を基準として徐々に着信音量を大きくして前記スピーカから着信音を鳴動させ、一方、前記着信検出手段が着信を検出した際に、前記筐体開閉検出手段が筐体が閉じた状態であることを検出すると、前記音量設定手段で設定された第１の着信音量で前記スピーカから着信音を鳴動させるように制御する制御手段と、を有することを特徴とする。
【発明の効果】
【０００６】
本発明によれば、筐体を閉じた状態では着信音の音量が徐々に大きくなるのではなく、予め設定した値で鳴動されるため、ユーザが着信音になかなか気づくことができないという従来技術の問題点を回避することが可能であるだけでなく、筐体を開いた状態では着信音の音量が徐々に大きくなる為、子供が筐体を開いて通話のまねをしている際に子供の耳にダメージを与えるといった問題も回避することが可能である。
【発明を実施するための最良の形態】
【０００７】
図１は、本実施例装置である携帯電話装置の斜視図である。図１において、携帯電話装置１は、第１の筐体２と第２の筐体３がヒンジ部４を介して連結された、所謂、折畳式の携帯電話装置である。
【０００８】
図１において第１の筐体２には、ディスプレイ４２が搭載されているだけでなく、通話用のスピーカ２６と着信音鳴動用のスピーカ３４とが近接して搭載されており、一方、第２の筐体３には、テンキーや通話キー等からなる入力部４４が搭載されている。
【０００９】
図２は本実施例装置のブロック図である。図２に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１５】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１６】
また、制御回路３６には、入力部４４が接続されている。この入力部４４は、図示していないが、テンキー、通話キー、切キー、カーソル移動等に用いられる十字キー、決定キー、クリアキー、防犯ブザーを鳴動させるためのキー等を有している。
【００１７】
ＲＡＭ４０には、相手側の電話番号と名称等の情報が対で複数格納され、又、アラームの鳴動時刻の情報やメール本文等の情報が格納される。
【００１８】
開閉検出部４８は、筐体の開閉を検出する。この開閉検出部４８は、例えば第２の筐体に設けられたスイッチであり、第１の筐体に設けられた突起がこのスイッチを押下することにより、筐体が閉じられたことを検出するものである。
【００１９】
次に、本実施例装置の動作について、図３を用いて説明する。図３は本実施例装置の動作を示すフロー図である。
【００２０】
Ｓ１ステップでは、制御回路３６は通信部１２から着信を示す信号を検出すると、着信があると判定しＳ２ステップへ処理を進める。
【００２１】
Ｓ２ステップでは、制御回路３６は、開閉検出部４８から筐体が開いた状態であることを示す信号を検出するとＳ３ステップへ処理を進め、そうでなければ（筐体が閉じた状態であれば）Ｓ４ステップへ処理を進める。
【００２２】
Ｓ３ステップでは、制御回路３６は、スピーカ３４から着信音の音量を予め設定した値から徐々に上げて鳴動させる。
【００２３】
Ｓ４ステップでは、制御回路３６は、スピーカ３４から着信音を予め設定した音量で鳴動させる。
例えば、このＳ４ステップでは着信音の音量が１０段階中の５であるとすると、Ｓ３ステップでは１０段階中の１から徐々に２、３、４・・・と上げていく。これら着信音の設定値はユーザが予め設定可能である。より具体的には、例えばＲＡＭ４０に、第１の着信音量と第２の着信音量のデータを格納しておき、第２の着信音量は第１の着信音量よりも必ず小さい音量となるように設定可能であるとし、着信があった際に筐体が閉じていれば、第２の着信音量を基準として着信音量を段階的に徐々に上げていき、一方、筐体が開いていれば第１の着信音量で着信音を鳴動させるようにする。
【００２４】
このように、本実施例装置では、筐体を閉じた状態では着信音の音量が徐々に大きくなるのではなく、予め設定した値で鳴動されるため、ユーザが着信音になかなか気づくことができないという従来技術の問題点を回避することが可能であるだけでなく、筐体を開いた状態では着信音の音量が徐々に大きくなる為、子供が筐体を開いて通話のまねをしている際に子供の耳にダメージを与えるといった問題も回避することが可能である。
【００２５】
尚、本実施例では、通話用のスピーカ２６と着信音鳴動用のスピーカ３４とが近接した構造であるが、通話用のスピーカ２６と着信音鳴動用のスピーカ３４とを兼用させた構造としても良い。このような構造とした場合においても本実施例装置の効果は発揮される。
【図面の簡単な説明】
【００２６】
【図１】本発明を適用してなる実施例装置の斜視図である。
【図２】本実施例装置のブロック図である。
【図３】本実施例装置の動作を示すフロー図である。
【符号の説明】
【００２７】
１０      携帯電話装置
３６      制御回路
４０      ＲＯＭ
４４      入力部
４８      開閉検出部
【図１】
2008154179.tif 000003
【図２】
2008154179.tif 000004
【図３】
2008154179.tif 000005